(57)【特許請求の範囲】
【請求項１】
開口部の周囲に設置される落下防止網付き防護柵であって、
折り畳み可能に連結され、前記開口部を包囲するように立設される複数の柵本体と、
前記複数の柵本体の１つの下端部に連結され、前記開口部を開閉可能な落下防止網と、
前記落下防止網が連結された柵本体に設けられ、前記落下防止網を開いた状態で保持する保持部と、
前記複数の柵本体の何れかに設けられ、前記開口部を照らす照明と、
を備え、
前記落下防止網が前記保持部に保持されている場合には、前記照明をオンして、前記落下防止網が前記保持部に保持されていない場合には、前記照明をオフすることで、前記照明の入り切りを、前記保持部の保持状態と連動させる
落下防止網付き防護柵。
【請求項２】
前記落下防止網が連結された柵本体の上端部と、前記落下防止網の上端部とを結ぶ紐をさらに備えた
請求項１に記載の落下防止網付き防護柵。
【請求項３】
前記落下防止網が連結された柵本体の下端部の、前記落下防止網が設けられていない部分に設けられた支持部をさらに備えた
請求項１または請求項２に記載の落下防止網付き防護柵。
【請求項４】
前記複数の柵本体または前記落下防止網に設けられた運搬用の持ち手をさらに備えた
請求項１から請求項３までの何れか１項に記載の落下防止網付き防護柵。
【請求項５】
前記開口部に対して前記落下防止網を固定する係合部材をさらに備えた
請求項１から請求項４までの何れか１項に記載の落下防止網付き防護柵。
【発明の詳細な説明】
【技術分野】
【０００１】
この発明は、例えばマンホールピット内での作業時に、マンホールの開口部の周囲に設置される落下防止網付き防護柵に関する。
【背景技術】
【０００２】
従来から、パイプを曲げて四辺形にした４個の枠体を折り畳めるように隣り合うもの同士を連結部材で連結して構成し、マンホールを包囲するように配置したときに対向する枠体の下部に、それぞれ異なるマンホールと係合する複数のマンホール係合部材を回動可能に取り付け、このマンホール係合部材の回動する先端側に、マンホールに係合する係合プレートを設けたマンホール用安全柵が知られている（例えば、特許文献１参照）。
【先行技術文献】
【特許文献】
【０００３】
【特許文献１】特開２００１−１１８７９号公報
【発明の概要】
【発明が解決しようとする課題】
【０００４】
しかしながら、従来技術には、以下のような課題がある。
すなわち、特許文献１に記載のマンホール用安全柵では、マンホールの開口部を包囲するように配置されているため、歩行者が開口部から転落することを防止することができるものの、マンホールの開口部が露出しているので、工具や飛来物等が開口部から落下する恐れがある。
【０００５】
この発明は、上記のような課題を解決するためになされたものであり、工具や飛来物等が開口部から落下することを防止することができる落下防止網付き防護柵を得ることを目的とする。
【課題を解決するための手段】
【０００６】
この発明に係る落下防止網付き防護柵は、開口部の周囲に設置される落下防止網付き防護柵であって、折り畳み可能に連結され、開口部を包囲するように立設される複数の柵本体と、複数の柵本体の１つの下端部に連結され、開口部を開閉可能な落下防止網と、落下防止網が連結された柵本体に設けられ、落下防止網を開いた状態で保持する保持部と、複数の柵本体の何れかに設けられ、開口部を照らす照明と、を備え、落下防止網が保持部に保持されている場合には、照明をオンして、落下防止網が保持部に保持されていない場合には、照明をオフすることで、照明の入り切りを、保持部の保持状態と連動させるものである。
【発明の効果】
【０００７】
この発明に係る落下防止網付き防護柵によれば、開口部の周囲に設置されるものであって、折り畳み可能に連結され、開口部を包囲するように立設される複数の柵本体と、複数の柵本体の１つの下端部に連結され、開口部を開閉可能な落下防止網とを備えている。
そのため、工具や飛来物等が開口部から落下することを防止することができる。
【図面の簡単な説明】
【０００８】
【図１】この発明の実施の形態１に係る落下防止網付き防護柵の基本的な構成を示す展開図である。
【図２】この発明の実施の形態１に係る落下防止網付き防護柵を折り畳んだ状態を示す側面図である。
【図３】この発明の実施の形態１に係る落下防止網付き防護柵の保持部を拡大して示す断面図である。
【図４】この発明の実施の形態１に係る落下防止網付き防護柵の落下防止網を閉じた状態を示す斜視図である。
【図５】この発明の実施の形態１に係る落下防止網付き防護柵の落下防止網を開いた状態を示す斜視図である。
【発明を実施するための形態】
【０００９】
以下、この発明に係る落下防止網付き防護柵の好適な実施の形態につき図面を用いて説明するが、各図において同一、または相当する部分については、同一符号を付して説明する。
【００１０】
なお、この発明の実施の形態では、落下防止網付き防護柵がマンホールの開口部の周囲に設置される場合を例に挙げて説明するが、これに限定されず、落下防止網付き防護柵は、マンホール以外の他の開口部の周囲に設置されてもよい。
【００１１】
実施の形態１．
図１は、この発明の実施の形態１に係る落下防止網付き防護柵の基本的な構成を示す展開図である。図１において、落下防止網付き防護柵１０は、折り畳み可能に連結され、開口部（図示せず）を包囲するように立設される複数の柵本体１１と、複数の柵本体１１の１つの下端部に連結され、開口部を開閉可能な落下防止網１２とを備えている。
【００１２】
ここで、複数の柵本体１１は、４枚の四角形の柵本体１１が、蝶番等の連結部１３により、回動自在に連結されて構成されている。また、落下防止網１２は、１枚の柵本体１１の下端部に、蝶番等の連結部１４により、回動自在に連結されている。また、落下防止網１２が連結された柵本体１１には、落下防止網１２を開いた状態で保持する保持部１５が取り付けられている。
【００１３】
なお、落下防止網１２が開口部を開閉するとは、開口部が落下防止網１２によって覆われている状態にすることおよび覆われていない状態にすることを指している。すなわち、落下防止網１２を閉じた状態が、開口部が覆われている状態に対応し、落下防止網１２を開いた状態が、開口部が覆われていない状態に対応している。
【００１４】
また、柵本体１１や落下防止網１２の枠部分は、アルミニウム等の軽い材質で構成されていることが望ましい。また、落下防止網１２の網部分は、ステンレス等の錆びづらく丈夫なワイヤで構成されていることが望ましい。また、落下防止網１２の網目の大きさは、工具や飛来物等が開口部から落下することを防止するために、例えば１ｃｍ×１ｃｍ程度であればよい。
【００１５】
図２は、この発明の実施の形態１に係る落下防止網付き防護柵を折り畳んだ状態を示す側面図である。図２において、４枚の柵本体１１は折り畳まれており、落下防止網１２は、開いた状態で保持部１５に保持されている。すなわち、落下防止網１２は、収納時や運搬時には、４枚の柵本体１１と一体化されている。
【００１６】
ここで、作業者が落下防止網付き防護柵１０を運搬する際には、柵本体１１の上端と落下防止網１２の上端との隙間に腕や肩を通して持ち運ぶことができる。なお、柵本体１１の上端と落下防止網１２の上端との隙間が狭い場合には、柵本体１１または落下防止網１２に腕や肩を通すための持ち手（図示せず）を別途設けることにより、作業者が容易に運搬することができる。
【００１７】
図３は、この発明の実施の形態１に係る落下防止網付き防護柵の保持部を拡大して示す断面図である。図３において、保持部１５は、金属等で構成されてクリップ形状を有しており、落下防止網１２のワイヤ１２１を挟み込むことで、落下防止網１２を開いた状態で保持するものである。
【００１８】
続いて、図４、５を参照しながら、この発明の実施の形態１に係る落下防止網付き防護柵の具体的な構成について説明する。図４は、この発明の実施の形態１に係る落下防止網付き防護柵の落下防止網を閉じた状態を示す斜視図である。また、図５は、この発明の実施の形態１に係る落下防止網付き防護柵の落下防止網を開いた状態を示す斜視図である。
【００１９】
図４、５において、４枚の柵本体１１は、連結部１３により連結され、開口部１００を包囲するように立設されている。また、落下防止網１２は、１枚の柵本体１１の下端部に、連結部１４により連結され、開口部１００を開閉する。また、この柵本体１１には、落下防止網１２を開いた状態で保持する保持部１５が取り付けられている。
【００２０】
ここで、落下防止網１２が連結された柵本体１１の上端部と、落下防止網１２の上端部との間には、上端部同士を結ぶ紐１６が設けられている。紐１６を設けることにより、マンホールの周囲を監視している補助者が、マンホールピット内で作業している作業者からの求めに応じて、しゃがむことなく紐１６を引くことで、落下防止網１２を容易に開くことができる。
【００２１】
また、このとき、保持部１５が落下防止網１２を開いた状態で保持することにより、作業者が容易にマンホールピット内に出入りすることができる。さらに、紐１６を設けることにより、作業者等が柵本体１１を持ち上げた場合であっても、落下防止網１２が開きすぎることを防止することができる。
【００２２】
また、落下防止網１２が連結された柵本体１１の下端部の、落下防止網１２とは反対側には、支持部１７が設けられている。補助者が紐１６を引くと、落下防止網付き防護柵１０の外側（落下防止網１２の反対側）に力が働くので、支持部１７を設けることにより、落下防止網付き防護柵１０が倒れることを防止することができる。
【００２３】
また、４枚の柵本体１１の少なくとも１枚の上端部には、開口部１００を照らす照明１８が設けられている。特に夜間作業時は、足下が暗いので、照明１８を設けることにより、作業者が容易にマンホールピット内に入ることができる。ここで、照明１８は、脱着式であり、作業者が陰を作らない位置に取り付けることができる。
【００２４】
また、保持部１５にスイッチを設けて照明１８と接続し、照明１８の入り切りを、保持部１５の保持状態と連動させてもよい。すなわち、落下防止網１２が保持部１５に保持されている場合には、作業者がマンホールピット内に出入りするとして、照明１８をオンして開口部１００を照らし、落下防止網１２が保持部１５に保持されていない場合には、照明１８をオフする。これにより、必要な場合だけ開口部１００を照らすことができる。
【００２５】
また、４枚の柵本体１１の少なくとも対向する２枚の下端部には、開口部１００に対して落下防止網１２を固定する係合部材１９が設けられている。係合部材１９は、回転スライド機構等により伸縮自在に構成され、一端は、柵本体１１の下端部に回動自在に取り付けられ、他端はカギ型形状を有し、開口部１００に係合している。これにより、落下防止網付き防護柵１０がずれたり倒れたりすることを防止することができる。
【００２６】
以上のように、実施の形態１によれば、開口部の周囲に設置される落下防止網付き防護柵は、折り畳み可能に連結され、開口部を包囲するように立設される複数の柵本体と、複数の柵本体の１つの下端部に連結され、開口部を開閉可能な落下防止網とを備えている。
そのため、工具や飛来物等が開口部から落下することを防止することができる。
【符号の説明】
【００２７】
１０  落下防止網付き防護柵、１１  柵本体、１２  落下防止網、１３  連結部、１４  連結部、１５  保持部、１６  紐、１７  支持部、１８  照明、１９  係合部材、１００  開口部、１２１  ワイヤ。
【図１】
0006410690.tif 000002
【図２】
0006410690.tif 000003
【図３】
0006410690.tif 000004
【図４】
0006410690.tif 000005
【図５】
0006410690.tif 000006